(57)【特許請求の範囲】
【請求項１】
始動入賞口への遊技球の入賞を契機として、特賞状態を生起させるか否かを決定する抽選を行う第１の抽選手段と、
演出図柄を表示することが可能な図柄表示手段と、
前記図柄表示手段において、前記始動入賞口への遊技球の入賞を契機として演出図柄の変動表示を行い、該演出図柄の変動表示の後に演出図柄の停止表示を行い、停止表示された演出図柄によって前記第１の抽選手段による抽選の結果を遊技者に報知する図柄制御手段と、
前記図柄表示手段における演出図柄の変動表示中に、変動表示されている演出図柄を少なくとも１回擬似的に停止表示する擬似連続変動演出を実行するか否かを決定する第２の抽選手段と、
を備える遊技機であって、
前記演出図柄が、前記第１の抽選手段による抽選の結果を遊技者に報知するための主図柄と、該主図柄の背景となる副図柄と、を含んで構成され、
前記主図柄及び前記副図柄がそれぞれ複数種類設定され、１種類の副図柄に複数種類の主図柄が対応するとともに、１種類の主図柄に対しては１種類の副図柄が対応しており、
前記擬似連続変動演出が、擬似的に停止表示された演出図柄がリーチ状態となった場合に終了し、
１回の前記擬似連続変動演出中に含まれる擬似変動の回数が多いほど、前記特賞状態の期待値が大きくなるように設定され、
前記図柄制御手段が、擬似連続変動演出が実行された際に、演出図柄が擬似的に停止表示される前に、該擬似的に停止表示される演出図柄を構成する副図柄のみを表示することによって、該擬似連続変動演出が終了するか否かを遊技者に予告することを特徴とする遊技機。
【発明の詳細な説明】
【技術分野】
【０００１】
本発明は、特賞状態を生起させるか否かを抽選により決定し、該抽選の結果を図柄表示手段に表示される演出図柄によって遊技者に報知する遊技機に関する。
【背景技術】
【０００２】
一般的なパチンコ機では、始動入賞口に遊技球が入賞したことを契機として、特賞状態（大当たり）を生起させるか否かを決定する大当たり抽選が行われる。そして、大当たり抽選の結果は、図柄表示手段で停止表示される演出図柄の組み合わせによって遊技者に報知される。ここで、一般的なパチンコ機では、図柄表示手段で演出図柄を停止表示して大当たり抽選の結果を報知することに先立って、演出図柄を変動表示させる演出を行うことによって、遊技者の興趣の向上を図っている。
【０００３】
従来、図柄表示手段で演出図柄を変動表示させる際の演出として、１回の入賞を契機として擬似的に複数回の演出図柄の変動が行われる演出（以下、「擬似連続変動演出」という）が知られている（特許文献１参照）。擬似連続変動演出は、１回の入賞を契機として行われる演出図柄を変動表示させる演出に、変動中の演出図柄を擬似的に一時停止させた後に再変動させる演出を含ませるとによって、特賞状態が生起されることへの遊技者の期待感を煽ることを可能としている。
【０００４】
ここで、擬似連続変動演出を行うパチンコ機では、１回の擬似連続変動演出に含まれる演出図柄の擬似的な変動の回数が多いほど、特賞状態が生起される期待値が高くなるように構成されている。したがって、該パチンコ機の遊技者は、擬似連続変動演出が実行された際には、１回でも多くの演出図柄の擬似的な変動が行われることによって擬似連続変動演出が継続することを期待する。
そこで、従来のパチンコ機では、擬似連続変動演出中に特定のキャラクターを出現させる等、擬似連続変動演出が継続することを予告する演出を行うことによって、さらに遊技者の興趣の向上を図っている。
【特許文献１】特開平１１−２８２７９号公報
【発明の開示】
【発明が解決しようとする課題】
【０００５】
しかしながら、従来のパチンコ機では、擬似連続変動演出が継続することを予告する演出に専用の素材を使用しているため、図柄表示手段に表示される演出を行うために必要となる画像データの容量が増加してしまうという問題がある。
本発明は上記した従来技術の問題を解決するためになされたものであり、その目的は、図柄表示手段に表示される演出を行うために必要となる画像データの容量を増加させることなく擬似連続変動演出が終了するか否かを予告することが可能な遊技機を提供することにある。
【課題を解決するための手段】
【０００６】
上記目的を達成するために、本発明に係る遊技機は、始動入賞口への遊技球の入賞を契機として、特賞状態を生起させるか否かを決定する抽選を行う第１の抽選手段と、
演出図柄を表示することが可能な図柄表示手段と、
前記図柄表示手段において、前記始動入賞口への遊技球の入賞を契機として演出図柄の変動表示を行い、該演出図柄の変動表示の後に演出図柄の停止表示を行い、停止表示された演出図柄によって前記第１の抽選手段による抽選の結果を遊技者に報知する図柄制御手段と、
前記図柄表示手段における演出図柄の変動表示中に、変動表示されている演出図柄を少なくとも１回擬似的に停止表示する擬似連続変動演出を実行するか否かを決定する第２の抽選手段と、
を備える遊技機であって、
前記演出図柄が、前記第１の抽選手段による抽選の結果を遊技者に報知するための主図柄と、該主図柄の背景となる副図柄と、を含んで構成され、
前記主図柄及び前記副図柄がそれぞれ複数種類設定され、１種類の副図柄に複数種類の主図柄が対応するとともに、１種類の主図柄に対しては１種類の副図柄が対応しており、
前記擬似連続変動演出が、擬似的に停止表示された演出図柄がリーチ状態となった場合に終了し、
１回の前記擬似連続変動演出中に含まれる擬似変動の回数が多いほど、前記特賞状態の期待値が大きくなるように設定され、
前記図柄制御手段が、擬似連続変動演出が実行された際に、演出図柄が擬似的に停止表示される前に、該擬似的に停止表示される演出図柄を構成する副図柄のみを表示することによって、該擬似連続変動演出が終了するか否かを遊技者に予告することを特徴とする。
【０００７】
本発明に係る遊技機によれば、擬似連続変動演出が実行された際に、演出図柄が擬似的に停止表示される前に、該擬似的に停止表示される演出図柄を構成する副図柄のみを表示することによって、該擬似連続変動演出が終了するか否かを遊技者に予告する構成により、遊技者の興趣の向上を図ることが可能となる。
また、本発明に係る遊技機によれば、演出図柄を構成する副図柄を用いて擬似連続変動演出が終了するか否かの予告を行う構成により、図柄表示手段に表示される演出を行うために必要となる画像データの容量を増加させることなく擬似連続変動演出が終了するか否かを予告することが可能となる。
【０００８】
なお、本発明に係る遊技機における第１の抽選手段は、例えば、後述する主制御装置２１０が該当する。また、本発明に係る遊技機における図柄表示手段は、例えば、後述する演出図柄表示装置１０４が該当する。また、本発明に係る遊技機における図柄制御手段は、例えば、後述する図柄制御装置１５２が該当する。さらに、本発明に係る遊技機における第２の抽選手段は、例えば、後述する主制御装置２１０が該当する。
【０００９】
また、本発明に係る遊技機では、１種類の副図柄に複数種類の主図柄が対応している構成により、遊技者は、副図柄のみが表示された状態では、その後擬似的に停止表示される演出図柄がリーチ状態であるか否かを認識することができない。そして、遊技者は、擬似的に停止表示された演出図柄の主図柄を確認することによって、初めてリーチ状態であるか否かを認識することができる。よって、第２の発明に係る遊技機によれば、さらに、遊技者の興趣の向上を図ることが可能となる。
【発明の効果】
【００１０】
以上説明したように、本発明に係る遊技機によれば、図柄表示手段に表示される演出を行うために必要となる画像データの容量を増加させることなく擬似連続変動演出が継続することを予告することが可能となる。
【発明を実施するための最良の形態】
【００１１】
以下、本発明の実施の形態を図面を参照しながら説明する。
まず、パチンコ機における遊技盤面１０２の構成を説明する。
図１は、パチンコ機における遊技盤面の正面部、特に説明に必要な部分を模式的に示した図である。
図１に示すように、遊技盤面１０２のほぼ中央部には、液晶ディスプレイ、ＣＲＴ（Ｃａｔｈｏｄｅ  Ｒａｙ  Ｔｕｂｅ）ディスプレイ等の可変表示装置によって構成された演出図柄表示装置１０４が設けられている。
【００１２】
演出図柄表示装置１０４は、演出図柄５００（図６参照）を表示する３つの演出図柄表示領域（図示せず）を有している。演出図柄表示装置１０４の３つの演出図柄表示領域では、それぞれ後述する始動入賞装置１１１への遊技球の入賞を契機として演出図柄５００が所定の変動パターンで変動表示され、所定時間経過後に演出図柄５００が停止表示される。そして、演出図柄表示装置１０４は、３つの演出図柄表示領域に停止表示された演出図柄５００の組み合わせの態様によって大当たり抽選の結果を遊技者に対して報知する。
【００１３】
また、演出図柄表示装置１０４には、連続して特別図柄を変動表示させることが可能な回数を示す保留情報が表示される。演出図柄表示装置１０４に表示される保留情報は、特別図柄の変動表示中に始動入賞装置１１１への遊技球の入賞を契機として取得された乱数値等の情報が後述する主制御装置２１０のＲＡＭ２４０の保留領域に記憶されることに連動して表示される。
【００１４】
演出図柄表示装置１０４の左側には、普通図柄始動ゲート１２２が設けられている。普通図柄始動ゲート１２２は、パチンコ機内部のゲートスイッチ（図示せず）によって遊技球の通過を検知する。そして、普通図柄始動ゲート１２２は、ゲートスイッチから検出信号を主制御装置２１０に入力することによって、主制御装置２１０による普通図柄抽選の契機を与える。また、普通図柄始動ゲート１２２は、遊技球が通過すると、普通図柄表示装置１０８における普通図柄の変動表示開始の契機を与える。
演出図柄表示装置１０４の下方には、始動入賞装置１１１が設けられている。始動入賞装置１１１は、常時開口している第一始動入賞口１１１ａと、第一始動入賞口１１１ａの下側に設けられた可動式の第二始動入賞口１１１ｂとを有している。
【００１５】
第一始動入賞口１１１ａは、いわゆるヘソと称される常時上向きに開口した遊技球の入口である。第一始動入賞口１１１ａは、始動入賞装置１１１への遊技球の入賞を常時可能としている。第二始動入賞口１１１ｂは、いわゆる電チュー（電動チューリップ）と称される入賞確率を変更することが可能な電動役物（可動部材）である。第二始動入賞口１１１ｂは、通常時は閉止状態であるが、主制御装置２１０による普通図柄抽選に当選して、普通図柄表示装置１０８に停止表示された普通図柄が特定の態様となったときに、所定パターンで開放状態となって遊技球を入賞可能とする。
【００１６】
始動入賞装置１１１は、パチンコ機内部の始動入賞口スイッチ１３１（図２参照）によって遊技球の入賞を検知する。そして、始動入賞装置１１１は、始動入賞口スイッチ１３１から検出信号を主制御部２１０に入力することによって、主制御装置２１０による大当たり抽選の契機を与える。また、始動入賞装置１１１は、遊技球が入賞すると、演出図柄表示装置１０４における演出図柄５００の変動表示開始の契機を与えるとともに、特別図柄表示装置１０６における特別図柄の変動表示開始の契機を与える。
【００１７】
始動入賞装置１１１の右方には、液晶ディスプレイ又はＣＲＴディスプレイ等の可変表示装置、７セグメントＬＥＤ、ドットマトリクス表示装置等によって構成された特別図柄表示装置１０６が設けられている。特別図柄表示装置１０６は、特別図柄を表示する２つの表示領域を有している。特別図柄表示装置１０６の２つの表示領域では、それぞれ始動入賞装置１１１への遊技球の入賞を契機として特別図柄が変動表示され、所定時間経過後に特別図柄が停止表示される。そして、特別図柄表示装置１０６は、２つの表示領域に停止表示された特別図柄の組み合わせの態様によって大当たり抽選の結果を表示する。ここで、特別図柄表示装置１０６の２つの表示領域に停止表示された特別図柄が特定の組み合わせとなることによって生起する遊技状態を特賞状態（大当たり）という。また、特賞状態とは、遊技者へ多数の賞球を払い出す等の所定の遊技価値を付与する有利な遊技状態をいう。また、特別図柄は、演出図柄表示装置１０４で表示される演出図柄５００と対応している。
【００１８】
特別図柄表示装置１０６の右側には、普通図柄を表示する普通図柄表示装置１０８が設けられている。普通図柄表示装置１０８では、普通図柄始動ゲート１２２への遊技球の通過を契機として普通図柄が変動表示され、所定時間経過後に普通図柄が停止表示される。
特別図柄表示装置１０６の上方には、大当たり中（特賞状態中）等のパチンコ機の状態を通知する遊技状態表示装置１０９が設けられている。遊技状態表示装置１０９は、例えばＬＥＤからなる表示装置であり、点灯や点滅等で遊技状態を通知するものである。
【００１９】
始動入賞装置１１１の下方には、大当たりが生起されたときに所定パターンで開放状態となって遊技球を入賞可能とする大入賞口１１５が設けられている。大入賞口１１５は、大当たりが生起されたときに、開閉部材１１５ａがほぼ水平に開くことによって、多数の遊技球の入賞を可能とする。そして、大入賞口１１５は、遊技球が入賞すると、パチンコ機内部の大入賞口スイッチ１３２（図２参照）の検出信号により入賞した遊技球数を計数し、入賞した遊技球数に応じた賞球を払い出す契機を与える。大入賞口１１５の開放は、所定の時間（例えば、３０秒）経過するか、所定数（大入賞口入賞規定数、例えば１０個等）の遊技球が入賞するまで継続する。そして、大入賞口１１５の１回の開放をラウンドと呼び、ラウンドは１Ｒ→２Ｒ→・・・と継続して、予め定められた最大ラウンドまで継続する。
そして、大入賞口１１５の下方であって遊技盤面１０２の最下方には、上記入賞口等のいずれにも入賞しなかった遊技球を回収するためのアウト口１１０が設けられている。
【００２０】
次に、パチンコ機における遊技制御装置２００の構成を説明する。
図２は、遊技制御装置の構成を示すブロック図である。
遊技制御装置２００は、図２に示すように、主に、主制御装置２１０、演出制御装置１５０および図柄制御装置１５２の３つの制御装置から構成される。不正行為防止等のため、通常、各制御装置は別々の基板に実装され、直接・間接的に接続されて相互にまたは一方向にデータが送信可能となっている。
主制御装置２１０は、始動入賞装置１１１への入賞による遊技球の検出に基づいて内部で発生させた乱数に応じて制御コマンド（第１の制御コマンド）の送信および遊技全体の制御を行い、また、特別図柄表示装置１０６を直接制御する。
【００２１】
演出制御装置１５０は、主制御装置２１０から送信される制御コマンド（第１の制御コマンド）に応じて図柄制御装置１５２を制御するための液晶制御コマンド（第２の制御コマンド）を送信する。
図柄制御装置１５２は、演出制御装置１５０から送信される液晶制御コマンド（第２の制御コマンド）に応じて演出図柄表示装置１０４を制御する。
主制御装置２１０は、ＣＰＵ２２０、ＲＯＭ２３０、ＲＡＭ２４０、入力ポート２５０および出力ポート２５５を備える。
【００２２】
出力ポート２５５は、特別図柄表示装置１０６への出力を行う特別図柄表示用出力ポートと、普通図柄表示装置１０８への出力を行う普通図柄表示用出力ポートと、演出制御装置１５０への出力を行う制御コマンド（第１の制御コマンド）出力ポートと、賞球の払出制御を行う賞球払出制御装置１５６への出力を行う賞球払出用コマンド出力ポートと、大入賞口１１５を開閉させる大入賞口ソレノイド１５８への出力を行う大入賞口ソレノイド出力ポートと、遊技状態表示装置１０９への出力を行う遊技状態表示用出力ポートと、外部のホールコンピュータへの出力を行う外部情報出力ポート２５６とからなる。
【００２３】
主制御装置２１０は、入力ポート２５０を介して、始動入賞口スイッチ１３１、大入賞口スイッチ１３２、その他各種入賞口スイッチ１３３から検出信号を入力し、各検出信号に応じた処理を行う。
主制御装置２１０は、出力ポート２５５を介して、特別図柄表示装置１０６、普通図柄表示装置１０８、大入賞口ソレノイド１５８、外部情報出力部および遊技状態表示装置１０９を制御する。なお、ここでの「制御」とは、例えば、主制御装置２１０が出力ポート２５５から特別図柄表示装置１０６に対して直接的に表示駆動に関わる制御信号を送ることにより特別図柄を変動させる処理のことであり、例えば、ＣＰＵ２２０からの信号（命令）を他のＣＰＵによる判断なしで直接送ることや、割り込み等による時間遅れ（タイムラグ）なしで制御することが含まれる。また、主制御装置２１０は、出力ポート２５５を介して、演出制御装置１５０に制御コマンド（第１の制御コマンド）を送信して演出制御装置１５０を制御する。
【００２４】
ＲＯＭ２３０には、主制御装置２１０で実行されるパチンコ機を制御するためのプログラムが記憶される。ＲＯＭ２３０には、さらに、演出制御装置１５０を制御するための制御コマンド（第１の制御コマンド）を始めとするパチンコ機を制御するための各種パラメータの値が格納されている。
ここで、第１の制御コマンドには、停止図柄指定コマンド、変動パターンコマンド、図柄停止コマンドおよび演出開始コマンドがある。停止図柄指定コマンドとは、演出図柄表示装置１０４に停止表示される演出図柄５００の組み合わせの態様（はずれ図柄、大当たり図柄）を指定するための制御コマンドである。変動パターンコマンドとは、ｎ（ｎ＝１〜１０４）種類設定された変動パターンのうちから実行する変動パターンを指定するための制御コマンドである。図柄停止コマンドは、演出図柄５００の停止を指定するための制御コマンドである。演出開始コマンドは、ｍ（ｍ＝１〜９５）種類設定された大当たり演出のうちから実行する大当たり演出を指定するための制御コマンドである。
【００２５】
なお、制御コマンド（第１の制御コマンドおよび第２の制御コマンド）は、制御コマンドの分類を識別するための識別子で１バイト長のディジタルデータであるモード（ＭＯＤＥ）と、実行される制御コマンドの内容（機能）を示す１バイト長のディジタルデータであるイベント（ＥＶＥＮＴ）とから構成される。
ＲＡＭ２４０は、主制御装置２１０に対する入出力データや演算処理のためのデータ、遊技に関連する乱数カウンタを始めとする各種カウンタ等を一時記憶する。また、ＲＡＭ２４０の保留領域には、始動入賞装置１１１への遊技球の入賞時に特別図柄が変動表示中であったため当該入賞に基づく変動表示演出が保留された場合、当該入賞時に取得された乱数値等の情報が保留球情報として所定上限数（本実施の形態では８つ）まで記憶される。
【００２６】
ＲＡＭ２４０には、出力予定の制御コマンドを所定領域に格納し、停電から復帰したときは、ＲＡＭ２４０の内容を停電直前の状態に復元し、ＲＡＭ２４０の出力予定の制御コマンドを出力することにより、電源遮断前の状態に遊技状態を復帰させる。
主制御装置２１０には、電源供給を行うための電源回路２１２が接続されている。電源回路２１２は、主制御装置２１０全体に供給されていた電源ラインの電圧が所定の電圧値以下になったことを検出したときは、電源が遮断された旨を示す電源断検出信号をＣＰＵ２２０に出力する。電源断が検出された場合は、主制御装置２１０全体に供給されていた電源ラインから電源断に伴ってＣＰＵ２２０に直接つながる電源ラインに切り換えられる。これにより、ＲＡＭ２４０は、ＣＰＵ２２０に直接つながる電源ラインから電源が供給されるので、情報を保持することができる。
【００２７】
演出制御装置１５０は、主制御装置２１０と同様に、ＣＰＵ、ＲＯＭ、ＲＡＭ、入力ポートおよび出力ポートを備える。演出制御装置１５０は、主制御装置２１０から送信される制御コマンド（第１の制御コマンド）を受信し、その制御コマンドに従って、液晶表示制御コマンド（第２の制御コマンド）を生成し、図柄制御装置１５２に送信する。
演出制御装置１５０は、スピーカ１５５から音声を出力する音声制御を行う音声制御部１６２およびランプ１５３を点灯させるランプ制御を行うランプ制御部１６４を有している。なお、音声制御部１６２およびランプ制御部１６４は、演出制御装置１５０において内部コマンドによるコマンド通信により制御されるものである。しかしながら、コマンド通信によらず直接的な制御でも実現可能である。
このように、演出制御装置１５０は、液晶表示、ランプ点灯、効果音の生成等の演出に関する制御を専門的に行うことにより、主制御装置２１０の負荷を軽減するのに役立っている。
【００２８】
図柄制御装置１５２は、ＣＰＵ、ＲＯＭ、ＲＡＭおよび画像処理用ＶＤＰ（Ｖｉｄｅｏ  Ｄｉｓｐｌａｙ  Ｐｒｏｃｅｓｓｏｒ）を備えている。
図柄制御装置１５２のＲＡＭは、ＣＰＵに対する入出力データや演算処理のためのデータを一時記憶し、ワークエリアやバッファメモリとして機能する。ＶＤＰは、ＣＰＵからの出力指示に従って演出図柄表示装置１０４に画像データを出力する。ＲＯＭは、図柄表示演出制御を行うためのプログラムおよび演出図柄表示装置１０４に出力するための各種画像データが格納されている。
【００２９】
そして、図柄制御装置１５２のＣＰＵは、演出制御装置１５０からの液晶制御コマンド（第２の制御コマンド）に応じて、ＲＯＭに記憶された所定のプログラムを実行して、演出図柄５００による演出を行うための制御信号をＶＤＰに出力する。図柄制御装置１５２のＶＤＰは、ＣＰＵから入力された制御信号に応じて、ＲＯＭに格納されている画像データを用いて演出図柄５００による演出を演出図柄表示装置１０４に表示する。
【００３０】
次に、主制御装置２１０のＲＯＭ２３０が有する変動パターン決定テーブル４４０のデータ構造を説明する。
図３は、変動パターン決定テーブルのデータ構造を示す図である。
ＲＯＭ２３０には、図３に示すように、変動パターンを決定するために用いる変動パターン決定テーブル４４０が格納されている。
変動パターン決定テーブル４４０は、大当たりか否か、リーチ演出を実行するか否か、擬似連続変動演出を実行するか否かおよび擬似変動回数のそれぞれに対応して複数設けられている。
変動パターン決定テーブル４４０には、例えば、２１１個のレコードが登録されている。各レコードは、変動パターンを示す変動パターン番号を登録するフィールドを含んで構成されている。
【００３１】
主制御装置２１０が変動パターンを決定する際には、「０」〜「２１０」の数値範囲でいずれかの値を取り得る乱数（以下、変動パターン決定乱数という。）を取得し、取得した乱数値の順位のレコードから変動パターン番号を読み出し、読み出した変動パターン番号により特定される変動パターンに決定する。例えば、乱数値が「３０」である場合は、３０段目のレコードから変動パターン番号を取得する。図３の例では、変動パターン決定テーブル４４０から「１８」が読み出されるので、変動パターン１８に決定される。
【００３２】
次に、主制御装置２１０が行う大当たり判定処理を説明する。
図４は、主制御装置が行う大当たり判定処理を示すフローチャートである。
大当たり判定処理は、所定確率（例えば、１／３９９）で大当たりを生起させるために、所定の数値範囲（例えば、「０」〜「３９８」）に１個の大当たり値を設定し、始動入賞装置１１１に遊技球が入賞したタイミングで乱数カウンタから当たり決定乱数を取得し、取得した当り決定乱数の値と大当たり値とが一致しているときに大当たりを生起させる処理である。大当たり判定処理は、主制御装置２１０によって実行されると、図４に示すように、まず、ステップＳ１００に移行する。
【００３３】
ステップＳ１００では、主制御装置２１０は、始動入賞口スイッチ１３１から検出信号が入力されたか否かを判定する。そして、主制御装置２１０が始動入賞口スイッチ１３１から検出信号が入力されないと判定したとき（Ｎｏ）は、ステップＳ１０２に移行する。一方、主制御装置２１０が始動入賞口スイッチ１３１から検出信号が入力されたと判定したとき（Ｙｅｓ）は、ステップＳ１０４に移行する。
ステップＳ１０２では、主制御装置２１０は、ＲＡＭ２４０に保留球情報があるか否かを判定する。そして、主制御装置２１０がＲＡＭ２４０に保留球情報がないと判定したとき（Ｎｏ）は、一連の処理を終了して元の処理に復帰させる。一方、主制御装置２１０がＲＡＭ２４０に保留球情報があると判定したとき（Ｙｅｓ）は、ステップＳ１０４に移行する。
【００３４】
ステップＳ１０４では、主制御装置２１０は、始動入賞装置１１１に遊技球が入賞したタイミングで取得された当たり決定乱数の値が大当たり値と一致しているか否かを判定する。そして、主制御装置２１０が当たり決定乱数の値が大当たり値と一致していると判定したとき（Ｙｅｓ）は、ステップＳ１０６に移行する。一方、主制御装置２１０が当たり決定乱数の値が大当たり値と一致していないと判定したとき（Ｎｏ）は、ステップＳ１３０に移行する。
【００３５】
ステップＳ１０６では、主制御装置２１０は、大当たり時に停止させる特別図柄および演出図柄５００の組み合わせを決定する当たり時停止図柄決定処理を実行し、ステップＳ１０８に移行する。ここで、主制御装置２１０のＲＯＭ２３０には、演出図柄５００の停止図柄の組み合わせを示す停止図柄番号を複数登録した停止図柄決定テーブルが格納されている。そして、当たり時停止図柄決定処理では、主制御装置２１０は、ＲＡＭ２４０の所定領域から停止図柄決定乱数を読み出し、読み出した乱数値の順位の停止図柄番号を停止図柄決定テーブルから読み出し、読み出した停止図柄番号に対応する停止図柄指定コマンドをＲＡＭ２４０の所定領域に格納する。また、特別図柄の停止図柄の組み合わせは、左側の特定図柄の数値および右側の特別図柄の数値を対応付けて複数登録した特別図柄決定テーブルに基づいて、演出図柄５００の場合と同様の処理により決定される。そして、主制御装置２１０は、特別図柄の停止図柄の組み合わせを指定するための指令情報をＲＡＭ２４０の所定領域に格納する。
【００３６】
ステップＳ１０８では、主制御装置２１０は、リーチ演出決定乱数を乱数カウンタから取得し、ステップＳ１１０に移行する。
ステップＳ１１０では、主制御装置２１０は、擬似連続変動演出を実行するか否かを判定する。そして、主制御装置２１０が擬似連続変動演出を実行すると判定したとき（Ｙｅｓ）は、ステップＳ１１２に移行する。一方、主制御装置２１０が擬似連続変動演出を実行しないと判定したとき（Ｎｏ）は、ステップＳ１１４に移行する。ここで、擬似連続変動演出を実行するか否かの判定では、主制御装置２１０は、擬似連続変動演出決定乱数を乱数カウンタから取得し、取得された擬似連続変動演出決定乱数の値が予め定められた値と一致しているか否かを判定する。そして、主制御装置２１０は、取得された擬似連続変動演出決定乱数の値が予め定められた値と一致している場合には擬似連続変動演出を実行すると判定し、取得された擬似連続変動演出決定乱数の値が予め定められた値と一致していない場合には擬似連続変動演出を実行しないと判定する。
【００３７】
ステップＳ１１２では、主制御装置２１０は、擬似連続変動演出における擬似変動回数を決定する擬似変動回数決定処理を実行し、ステップＳ１１４に移行する。この場合、擬似変動回数決定処理では、主制御装置２１０は、乱数カウンタから取得した乱数の値を擬似変動回数に決定する。ここで、本実施の形態では、擬似変動回数は、最高で３回となる（３回、２回および１回のいずれかに決定される）ように設定されている。
【００３８】
ステップＳ１１４では、主制御装置２１０は、変動パターンを決定する当り時変動パターン決定処理を実行し、ステップＳ１１６に移行する。当り時変動パターン決定処理では、主制御装置２１０は、ＲＯＭ２３９から所定の変動パターン決定テーブル４４０を読み出すとともに、変動パターン決定乱数を乱数カウンタから取得する。そして、主制御装置２１０は、取得した変動パターン決定乱数の値の順位の変動パターン番号を変動パターン決定テーブル４４０から読み出し、読み出した変動パターン番号に対応する変動パターンコマンドをＲＡＭ２４０の所定領域に格納する。この場合、主制御装置２１０は、ステップＳ１１０で擬似連続変動演出を実行することを決定した場合には、当たり決定乱数、リーチ演出決定乱数、擬似連続変動演出決定乱数および擬似変動回数の値に基づいて変動パターン決定テーブル４４０を読み出す。一方、主制御装置２１０は、ステップＳ１１０で擬似連続変動演出を実行しないことを決定した場合には、当たり決定乱数、リーチ演出決定乱数の値に基づいて変動パターン決定テーブル４４０を読み出す。
【００３９】
ステップＳ１１６では、主制御装置２１０は、制御コマンドを出力するポート出力処理を実行し、一連の処理を終了して元の処理に復帰させる。ポート出力処理では、主制御装置２１０は、ＲＡＭ２４０に格納されている停止図柄指定コマンドおよび変動パターンコマンド（第１の制御コマンド）を、出力ポート２５５を介して演出制御装置１５０に送信する。また、ポート出力処理では、主制御装置２１０は、ＲＡＭ２４０に格納されている特別図柄の停止図柄の組み合わせを指定するための指令情報を、出力ポート２５５を介して特別図柄表示装置１０６に直接送信する。
【００４０】
ステップＳ１３０では、主制御装置２１０は、はずれ時に停止させる演出図柄５００の組み合わせを決定するはずれ時停止図柄決定処理を実行し、ステップＳ１３２に移行する。はずれ時停止図柄決定処理は、ステップＳ１０６と同様に構成される。はずれ時停止図柄決定処理では、主制御装置２１０は、演出図柄表示装置１０４で表示される具体的なはずれ演出図柄５００の組み合わせを指定するのではなく、大当たり抽選の結果がはずれであるという旨の結果だけを指定するためのコマンド（以下、はずれ演出図柄指定コマンドという）をＲＡＭ２４０の所定領域に格納する。なお、はずれ演出図柄指定コマンドは、演出制御装置１５０を介して図柄制御装置１５２に出力される。そして、はずれ演出図柄指定コマンドを受信した図柄制御装置１５２は、はずれになる演出図柄５００の組み合わせを決定し、その内容を演出図柄表示装置１０４に表示する。
【００４１】
ステップＳ１３２では、主制御装置２１０は、リーチ演出を実行するか否かを判定する。そして、主制御装置２１０がリーチ演出を実行すると判定したとき（Ｙｅｓ）は、ステップＳ１３４に移行する。一方、主制御装置２１０がリーチ演出を実行しないと判定したとき（Ｎｏ）は、ステップＳ１３８に移行する。ここで、リーチ演出を実行するか否かの判定では、主制御装置２１０は、リーチ演出決定乱数を乱数カウンタから取得し、取得されたリーチ演出決定乱数の値が予め定められた値と一致しているか否かを判定する。そして、主制御装置２１０は、取得されたリーチ演出決定乱数の値が予め定められた値と一致している場合にはリーチ演出を実行すると判定し、取得されたリーチ演出決定乱数の値が予め定められた値と一致していない場合にはリーチ演出を実行しないと判定する。
【００４２】
ステップＳ１３４では、主制御装置２１０は、擬似連続変動演出を実行するか否かを判定する。そして、主制御装置２１０が擬似連続変動演出を実行すると判定したとき（Ｙｅｓ）は、ステップＳ１３６に移行する。一方、主制御装置２１０が擬似連続変動演出を実行しないと判定したとき（Ｎｏ）は、ステップＳ１３８に移行する。ステップＳ１３４の擬似連続変動演出を実行するか否かの判定は、ステップＳ１１０と同様に構成される。
ステップＳ１３６では、主制御装置２１０は、擬似連続変動演出における擬似変動回数を決定する擬似変動回数決定処理を実行し、ステップＳ１３８に移行する。ステップＳ１３６の擬似変動回数決定処理は、ステップＳ１１２と同様に構成される。
【００４３】
ステップＳ１３８では、主制御装置２１０は、変動パターンを決定するはずれ時変動パターン決定処理を実行し、ステップＳ１１６に移行する。この場合、はずれ時変動パターン決定処理は、ステップＳ１１４と同様に構成される。この場合、主制御装置２１０は、ステップＳ１３４で擬似連続変動演出を実行することを決定した場合には、当たり決定乱数、リーチ演出決定乱数、擬似連続変動演出決定乱数および擬似変動回数の値に基づいて変動パターン決定テーブル４４０を読み出す。また、主制御装置２１０は、ステップＳ１３４で擬似連続変動演出を実行しないことを決定した場合には、当たり決定乱数およびリーチ演出決定乱数の値に基づいて変動パターン決定テーブル４４０を読み出す。さらに、主制御装置２１０は、ステップＳ１３２でリーチ演出を実行しないことを決定した場合には、当たり決定乱数の値に基づいて変動パターン決定テーブル４４０を読み出す。
【００４４】
次に、演出制御装置１５０で実行される処理を説明する。
演出制御装置１５０のＣＰＵは、ＲＯＭの所定領域に格納されている制御プログラムを起動させ、図５のフローチャートに示す演出制御処理を実行する。
図５は、演出制御処理を示すフローチャートである。
演出制御処理は、演出制御装置１５０のＣＰＵにおいて実行されると、図５に示すように、まず、ステップＳ４００に移行する。
ステップＳ４００では、演出制御装置１５０は、演出図柄５００の変動待ちを行う変動待ち処理を実行し、ステップＳ４０２に移行する。
【００４５】
ステップＳ４０２では、演出制御装置１５０は、変動パターンコマンドを受信する変動パターンコマンド受信処理を実行し、ステップＳ４０４に移行する。変動パターンコマンド受信処理では、演出制御装置１５０は、主制御装置２１０から変動パターンコマンドを受信し、受信した変動パターンコマンドに従って、液晶表示制御コマンド（第２の制御コマンド）を生成し、図柄制御装置１５２に送信する。そして、液晶表示制御コマンドを受信した図柄制御装置１５２は、演出図柄表示装置１０４において演出図柄５００の変動表示を開始させる。
ステップＳ４０４では、演出制御装置１５０は、停止図柄指定コマンドを受信する停止図柄指定コマンド受信処理を実行し、ステップＳ４０６に移行する。停止図柄指定コマンド受信処理では、演出制御装置１５０は、主制御装置２１０から停止図柄指定コマンドを受信し、受信した図柄指定コマンドを図柄制御装置１５２に送信する。
【００４６】
ステップＳ４０６では、演出制御装置１５０は、図柄停止コマンドを受信する図柄停止コマンド受信処理を実行し、ステップＳ４０６に移行する。図柄停止コマンド受信処理では、演出制御装置１５０は、主制御装置２１０から図柄停止コマンドを受信して、受信した図柄指定コマンドを図柄制御装置１５２に送信する。そして、図柄停止コマンドを受信した図柄制御装置１５２は、演出図柄表示装置１０４において演出図柄５００を停止表示させる。
ステップＳ４０８では、演出制御装置１５０は、演出開始コマンドを受信する演出開始コマンド受信処理を実行し、ステップＳ４００に移行する。演出開始コマンド受信処理では、演出制御装置１５０は、主制御装置２１０から演出開始コマンドを受信して、受信した演出開始コマンドに応じて大当たり演出を実行する。
【００４７】
次に、本実施の形態に係るパチンコ機の動作を説明する。
まず、パチンコ機に電源が投入されると、主制御装置２１０により、遊技制御処理が実行され、遊技可能な状態となる。遊技者は、貸し出しを受けた遊技球をパチンコ機に装填し、発射ハンドルを操作して遊技球を遊技盤面１０２に発射することにより遊技を行うことができる。
遊技可能状態において、遊技盤面１０２に発射された遊技球が始動入賞装置１１１に入賞すると、始動入賞口スイッチ１３１により検出信号が出力される。主制御装置２１０では、始動入賞口スイッチ１３１から検出信号が入力されると、そのタイミングで当たり決定乱数が取得される。このとき、取得された乱数値が大当たり値と一致していると判定されると、大当たりとなる。
【００４８】
大当たりとなると、ステップＳ１０６〜Ｓ１１４を経て、特別図柄および演出図柄５００の停止図柄の組み合わせ、並びに大当たり時の変動パターンが決定される。そして、所定の変動パターンで演出図柄５００が変動表示され、所定の変動時間経過後に、大当たり図柄で演出図柄５００が停止する。演出図柄５００の停止後は、大当たりが生起する。
大当たり中は、大入賞口１１５が所定の開閉パターンで開放制御され、大入賞口１１５に遊技球が入賞すると、１個当たりの入賞につき所定数の賞球が払い出される。
一方、取得された乱数値が大当たり値と一致しないと判定されると、はずれとなる。
はずれとなると、ステップＳ１３０からＳ１３８を経て、特別図柄および演出図柄５００の停止図柄の組み合わせ、並びにはずれ時の変動パターンが決定される。そして、所定の変動パターンで演出図柄５００が変動表示され、所定の変動時間経過後に、はずれ図柄で演出図柄５００が停止する。
【００４９】
次に、演出図柄表示装置１０４に表示される演出図柄５００について説明する。
図６は、演出図柄表示装置の各演出図柄表示領域に表示される演出図柄の一例を示す図である。図７は、演出図柄を構成する報知図柄の表面側を示す図である。図８は、図７に示す報知図柄の裏面側を示す図である。
演出図柄５００は、図６に示すように、報知図柄５１０及び装飾図柄５２０を含んで構成されている。報知図柄５１０は、主制御装置２１０による大当たり抽選の結果を遊技者に対して報知するための図柄である。装飾図柄５２０は、報知図柄５１０を装飾するための図柄であり、人物、風景、枠等の組み合わせからなる。
【００５０】
図柄制御装置１５２のＲＯＭには、報知図柄５１０の画像データと装飾図柄５２０の画像データとが個別に格納されている。そして、演出図柄５００は、図柄制御装置１５２が報知図柄５１０と装飾図柄５２０とを合成することによって、演出図柄表示装置１０４に表示される。
報知図柄５１０は、図６および図７に示すように、主図柄５１１及び副図柄５１２を含んで構成されている。主図柄５１１は、主制御装置２１０による大当たり抽選の結果を遊技者に対して報知するための図柄であり、数字、文字等からなる。本実施の形態では、主図柄５１１として、「１」から「７」までの７種類の数字が用いられている。副図柄５１２は、主図柄５１１の背景となる図柄である。本実施の形態では、副図柄５１２として、三角形、星形およびハート形の３種類の背景が用いられている。
【００５１】
そして、本実施の形態では、図７の（ａ）から（ｇ）に示すように、報知図柄５１０として、「１」から「７」までの主図柄５１１のそれぞれを表示する７種類が用いられている。「１」の主図柄５１１を表示する報知図柄５１０および「５」の主図柄５１１を表示する報知図柄５１０では、主図柄５１１の背景として三角形の副図柄５１２が表示されている。また、「２」の主図柄５１１を表示する報知図柄５１０、「４」の主図柄５１１を表示する報知図柄５１０および「６」の主図柄５１１を表示する報知図柄５１０では、主図柄５１１の背景として星形の副図柄５１２が表示されている。さらに、「３」の主図柄５１１を表示する報知図柄５１０および「７」の主図柄５１１を表示する報知図柄５１０では、主図柄５１１の背景としてハート形の副図柄５１２が表示されている。
【００５２】
報知図柄５１０は、回転データとして図柄制御装置１５２のＲＯＭに格納されている。そして、図８（ａ）から（ｃ）に示すように、報知図柄５１０は、裏面側が表示された状態では、副図柄５１２の種類を認識することはできるが、主図柄５１１の種類を認識することができない状態となっている。なお、図８（ａ）は、「１」の主図柄５１１を表示する報知図柄５１０および「５」の主図柄５１１を表示する報知図柄５１０の裏面側の表示を示す。また、図８（ｂ）は、「２」の主図柄５１１を表示する報知図柄５１０、「４」の主図柄５１１を表示する報知図柄５１０および「６」の主図柄５１１を表示する報知図柄５１０の裏面側の表示を示す。さらに、図８（ｃ）は、「３」の主図柄５１１を表示する報知図柄５１０および「７」の主図柄５１１を表示する報知図柄５１０の裏面側の表示を示す。
【００５３】
次に、演出図柄表示装置１０４に表示される演出図柄５００による演出について説明する。
図９は、演出図柄表示装置に表示される演出図柄による通常変動演出を示す図である。図１０は、演出図柄表示装置に表示される演出図柄によるリーチ演出を示す図である。図１１は、演出図柄表示装置に表示される演出図柄によるスーパーリーチ演出を示す図である。図１２は、大当たり時に演出図柄表示装置に停止表示される演出図柄の組み合わせの態様の一例を示す図である。図１３は、はずれ時に演出図柄表示装置に停止表示される演出図柄の組み合わせの態様の一例を示す図である。
【００５４】
図柄制御装置１５２は、演出制御装置１５０から液晶表示制御コマンド（第２の制御コマンド）を受信すると、まず、演出図柄表示装置１０４に通常変動演出を表示する。通常変動演出では、図９に示すように、演出図柄表示装置１０４の３つの演出図柄表示領域のそれぞれにおいて、演出図柄５００が変動表示される。
次に、図柄制御装置１５２は、液晶表示制御コマンド（第２の制御コマンド）が大当たり時の変動パターンまたははずれ時のリーチ演出を実行する変動パターンを指定する場合には、演出図柄表示装置１０４に通常変動演出に続いてリーチ演出を表示する。
【００５５】
リーチ演出では、図１０に示すように、演出図柄表示装置１０４の中央の演出図柄表示領域以外の左右の演出図柄表示領域において、演出図柄５００がリーチ状態で停止表示される。この場合、演出図柄表示装置１０４の中央の演出図柄表示領域では、演出図柄５００の変動表示が継続される。ここで、リーチ状態とは、左右の演出図柄表示領域に停止表示された演出図柄５００が直線上に揃い、大当たり図柄となることを期待させる状態（本実施の形態では、左右の演出図柄表示領域に停止表示された演出図柄５００が、同一種類の主図柄５１１を表示している状態）をいう。
さらに、図柄制御装置１５２は、液晶表示制御コマンド（第２の制御コマンド）がスーパーリーチ演出を実行する変動パターンを指定する場合には、演出図柄表示装置１０４にリーチ演出に続いてスーパーリーチ演出を表示する。
【００５６】
スーパーリーチ演出では、図１１に示すように、演出図柄表示装置１０４の左右の演出図柄表示領域で演出図柄５００がリーチ状態で停止されるとともに、中央の演出図柄表示領域で演出図柄５００が上方から１つずつ順次送り込まれるように変動表示される。この場合、上方から送り込まれた演出図柄５００では、報知図柄５１０の裏面側が表示された状態となっている。そして、図１２に示すように、上方から送り込まれた演出図柄５００が左右の演出図柄表示領域でリーチ状態で停止表示されている演出図柄５００に並んだときに、報知図柄５１０が反転することによって報知図柄５１０の表面側が表示される。すなわち、左右の演出図柄表示領域でリーチ状態で停止表示されている演出図柄５００に並ぶまで上方から送り込まれた演出図柄５００が表示する主図柄５１１の種類を認識できない演出とすることによって、遊技者の興趣の向上を図っている。
【００５７】
そして、図柄制御装置１５２は、演出制御装置１５０から図柄停止コマンドを受信すると、演出図柄表示装置１０４の３つの演出図柄表示領域において演出図柄５００を停止表示させて、大当たり抽選の結果を遊技者に報知する。この場合、図柄制御装置１５２は、演出制御装置１５０から受信した停止図柄指定コマンドが大当たり図柄を指定する場合には、図１２に示すように、３つの演出図柄表示領域で停止表示される演出図柄５００を大当たり図柄とする。ここで、大当たり図柄とは、本実施の形態では、３つの演出図柄表示領域に停止表示された演出図柄５００が、同一種類の主図柄５１１を表示している状態（「７」「７」「７」等）をいう。一方、図柄制御装置１５２は、演出制御装置１５０から受信した停止図柄指定コマンドがはずれ図柄を指定する場合には、図１３に示すように、３つの演出図柄表示領域で停止表示される演出図柄５００をはずれ図柄とする。ここで、はずれ図柄とは、本実施の形態では、３つの演出図柄表示領域に停止表示された演出図柄５００が、異なる種類の主図柄５１１を表示している状態（「７」「３」「７」等）をいう。
【００５８】
次に、演出図柄表示装置１０４に表示される擬似連続変動演出について説明する。
図１４は、演出図柄表示装置に表示される擬似連続変動演出の第１の予告表示を示す図である。図１５は、演出図柄表示装置に表示される擬似連続変動演出の第２の予告表示を示す図である。図１６は、演出図柄表示装置に表示される擬似連続変動演出において、３つの演出図柄表示領域で報知図柄が擬似停止された状態を示す図である。図１７は、演出図柄表示装置に表示される擬似連続変動演出の第１の予告表示を示す図である。図１８は、演出図柄表示装置に表示される擬似連続変動演出の第２の予告表示を示す図である。図１９は、演出図柄表示装置に表示される擬似連続変動演出の第２の予告表示を示す図である。
【００５９】
擬似連続変動演出とは、始動入賞装置１１１への遊技球の１回の入賞を契機として、演出図柄表示装置１０４の３つの演出図柄表示領域において擬似的に複数回の演出図柄５００の変動が行われる演出をいう。すなわち、擬似連続変動演出では、１回の入賞を契機として行われる演出図柄５００を変動表示させる演出に、変動中の演出図柄５００を擬似的に一時停止（以下、擬似停止という）させた後に再変動させる演出を含ませるとによって、大当たりが生起されることへの遊技者の期待感を煽ることを可能としている。ここで、演出図柄５００の変動表示または再変動表示が開始されてから擬似停止されるまでを１回の擬似変動と定義する。
【００６０】
本実施の形態に係るパチンコ機では、擬似停止された演出図柄５００がリーチ状態となったときに擬似連続変動演出が終了し、その後、上述したリーチ演出に移行するように設定されている。また、本実施の形態に係るパチンコ機では、１回の擬似連続変動演出中に含まれる擬似変動の回数が多いほど、大当たりの期待値が大きくなるように設定されている。ここで、擬似変動は、主制御装置２１０がステップＳ１１２またはＳ１３６で決定した擬似変動回数だけ繰り返し行われる。そして、主制御装置２１０が決定した擬似変動回数の擬似変動が行われた後は、擬似連続変動演出が終了してリーチ演出に移行する。なお、本実施の形態では、１回の擬似連続変動演出に含まれる擬似変動は最大で３回に設定されており、３回の擬似変動が行われた後は、擬似連続変動演出が終了してリーチ演出に移行する。
【００６１】
ここで、上述したように、本実施の形態に係るパチンコ機では、１回の擬似連続変動演出中に含まれる擬似変動の回数が多いほど、大当たりの期待値が大きくなるように設定されている。したがって、本実施の形態に係るパチンコ機の遊技者は、演出図柄表示装置１０４に擬似連続変動演出が表示された際には、１回でも多くの演出図柄５００の擬似変動が行われて擬似連続変動演出が継続することを期待する。すなわち、本実施の形態に係るパチンコ機の遊技者は、擬似連続変動演出中に擬似停止される演出図柄５００がリーチ状態とならないことを期待する。そこで、本実施の形態に係るパチンコ機では、擬似連続変動演出中に、擬似連続変動演出が終了するか否かの予告を行うことによって、遊技者の興趣の向上を図っている。
【００６２】
図柄制御装置１５２は、液晶表示制御コマンド（第２の制御コマンド）が擬似連続変動演出を実行する変動パターンを指定する場合には、演出図柄表示装置１０４に通常変動演出に続いて擬似連続変動演出を表示する。
擬似連続変動演出では、図１４に示すように、演出図柄表示装置１０４の中央に擬似連続変動演出用動画が表示されるとともに、演出図柄表示装置１０４の左上に３つの演出図柄表示領域が構成される。そして、演出図柄表示装置１０４の３つの演出図柄表示領域において、それぞれ演出図柄５００が変動表示される。ここで、擬似連続変動演出においては、演出図柄５００は、報知図柄５１０のみによって構成される。
【００６３】
そして、図１４に示すように、擬似連続変動演出に含まれる１回の擬似変動においては、まず、左右の演出図柄表示領域に、それぞれ１つの報知図柄５１０（演出図柄５００）が上方から送り込まれ、第１の予告表示が行われる。第１の予告表示では、上方から送り込まれた報知図柄５１０は、裏面側が表示され、副図柄５１２を認識することはできるが、主図柄５１１を認識することができない状態となっている。次に、図１５に示すように、上方から送り込まれた報知図柄５１０は、所定の時間経過後に反転して表面側が表示され、第２の予告表示が行われる。第２の予告表示では、左右の演出図柄表示領域において、それぞれ報知図柄５１０が主図柄５１１を認識することができる状態で擬似停止される。そして、左右の演出図柄表示領域において擬似停止された報知図柄５１０がリーチ状態となっている場合には、擬似連続変動演出が終了して、リーチ演出に移行する。一方、左右の演出図柄表示領域において擬似停止された報知図柄５１０がリーチ状態となっていない場合には、図１６に示すように、中央の演出図柄表示領域に報知図柄５１０が表面側を表示した状態で上方から送り込まれ、３つの演出図柄表示領域で報知図柄５１０が擬似停止された後、次の擬似変動に移行する。
【００６４】
そして、１回の擬似連続変動演出では、擬似変動は、主制御装置２１０がステップＳ１１２またはＳ１３６で決定した擬似変動回数だけ繰り返し行われる。そして、主制御装置２１０が決定した擬似変動回数の擬似変動が行われると、最後の擬似変動後に擬似停止される報知図柄５１０がリーチ状態となり、擬似連続変動演出が終了して、リーチ演出に移行する。
そして、本実施の形態に係るパチンコ機では、上述した第１の予告表示において、左右の演出図柄表示領域に表示された副図柄５１２によって、擬似連続変動演出が終了するか否かを遊技者に予告している。
【００６５】
すなわち、図７の（ａ）から（ｇ）に示すように、報知図柄５１０では、１種類の主図柄５１１に対しては、必ず、１種類の副図柄５１２が対応するように定められている（例えば、「１」の主図柄５１１に対しては、必ず、三角の副図柄５１２が対応している）。したがって、図１４に示すように、第１の予告表示において、左右の演出図柄表示領域に送り込まれた報知図柄５１０が互いに異なる種類の副図柄５１２を表示している場合には、両報知図柄５１０が表示する主図柄５１１が同一種類となることがない。よって、遊技者は、左右の演出図柄表示領域に送り込まれた報知図柄５１０の副図柄５１２を確認することによって、左右の演出図柄表示領域に擬似停止される報知図柄５２０がリーチ状態とならないことを認識することが可能となる。
【００６６】
一方、図１７に示すように、第１の予告表示において、左右の演出図柄表示領域に送り込まれた報知図柄５１０が互いに同一種類の副図柄５１２を表示している場合には、両報知図柄５１０が表示する主図柄５１１が同一種類となる場合と異なる種類となる場合とがある。したがって、第１の予告表示において左右の演出図柄表示領域に送り込まれた報知図柄５１０が互いに同一種類の副図柄５１２を表示している場合には、遊技者は、左右の演出図柄表示領域に擬似停止される報知図柄５２０がリーチ状態となるか否かを認識することができない。よって、この場合には、本発明の実施形態に係るパチンコ機では、上述した第２の予告表示において、左右の演出図柄表示領域に表示された主図柄５１２によって、擬似連続変動演出が終了するか否かを遊技者に予告している。
【００６７】
すなわち、図７の（ａ）から（ｇ）に示すように、報知図柄５１０では、１種類の副図柄５１２に対しては、複数種類の主図柄５１１が対応するように定められている（例えば、三角の副図柄５１２には、「１」および「５」の主図柄５１１が対応している）。したがって、第１の予告表示で左右の演出図柄表示領域に送り込まれた報知図柄５１０が互いに同一種類の副図柄５１２を表示している場合には、図１８に示すように、第２の予告表示で両報知図柄５１０が表示する主図柄５１１が同一種類となってリーチ状態となる場合と、図１９に示すように、第２の予告表示で両報知図柄５１０が表示する主図柄５１１が異なる種類となってリーチ状態とならない場合とがある。よって、遊技者は、第１の予告表示で左右の演出図柄表示領域に送り込まれた報知図柄５１０が互いに同一種類の副図柄５１２を表示している場合には、第２の予告表示で左右の演出図柄表示領域の報知図柄５１０の主図柄５１１を確認することによって、初めてリーチ状態となるか否かを認識することが可能となる。
【００６８】
このように、本実施の形態に係るパチンコ機では、擬似連続変動演出中に、演出図柄５００の報知図柄５１０を構成する副図柄５１２を用いて擬似変動が継続するか否か（擬似連続変動演出が継続するか否か）を予告する演出を行ことによって、遊技者の興趣の向上を図ることが可能となる。
また、本実施の形態に係るパチンコ機では、擬似連続変動演出中に行われる擬似変動が継続するか否かの予告を、演出図柄５００の報知図柄５１０を構成する副図柄５１２を用いて行っている。特に、本実施の形態に係るパチンコ機では、擬似連続変動演出中に行われる擬似変動が継続するか否かの予告を、上述したスーパーリーチ演出で使用されている報知図柄５１０の回転データを用いて行っている。したがって、本実施の形態に係るパチンコ機によれば、図柄表示装置１０４に表示される演出を行うために必要となる画像データの容量を増加させることなく擬似連続変動演出が終了するか否かを予告することが可能となる。
【００６９】
ここで、報知図柄５１０を構成する主図柄５１１の種類および副図柄５１２の種類は、適宜設定することが可能である。ただし、１種類の副図柄５１２に対しては、２種類以上の主図柄５１１が対応するように設定されていることが好ましい。
以上、本発明の実施の形態について説明したが、上記実施の形態では、種々の変更を行うことが可能である。
【００７０】
例えば、上記実施の形態では、演出制御装置１５０は、主制御装置２１０からの制御コマンドに基づいて遊技状態を管理し、管理される遊技状態に基づいて演出制御を行うように構成したが、これに限らず、図柄制御装置１５２が同様の管理および制御を行うように構成することもできる。具体的には、図柄制御装置１５２は、主制御装置２１０からの制御コマンドに基づいて遊技状態を管理し、管理される遊技状態に基づいて図柄の表示制御を行う。
また、上記実施の形態においては、パチンコ機である遊技機に本発明を適用した場合について説明したが、これに限らず、本発明の主旨を逸脱しない範囲で他のアミューズメントゲーム機等の遊技機にも適用可能である。
【図面の簡単な説明】
【００７１】
【図１】パチンコ機における遊技盤面の正面部、特に説明に必要な部分を模式的に示した図である。
【図２】遊技制御装置の構成を示すブロック図である。
【図３】変動パターン決定テーブルのデータ構造を示す図である。
【図４】主制御装置が行う大当たり判定処理を示すフローチャートである。
【図５】演出制御処理を示すフローチャートである。
【図６】演出図柄表示装置の各演出図柄表示領域に表示される演出図柄の一例を示す図である。
【図７】演出図柄を構成する報知図柄の表面側を示す図である。
【図８】図７に示す報知図柄の裏面側を示す図である。
【図９】演出図柄表示装置に表示される演出図柄による通常変動演出を示す図である。
【図１０】演出図柄表示装置に表示される演出図柄によるリーチ演出を示す図である。
【図１１】演出図柄表示装置に表示される演出図柄によるスーパーリーチ演出を示す図である。
【図１２】大当たり時に演出図柄表示装置に停止表示される演出図柄の組み合わせの態様の一例を示す図である。
【図１３】はずれ時に演出図柄表示装置に停止表示される演出図柄の組み合わせの態様の一例を示す図である。
【図１４】演出図柄表示装置に表示される擬似連続変動演出の第１の予告表示を示す図である。
【図１５】演出図柄表示装置に表示される擬似連続変動演出の第２の予告表示を示す図である。
【図１６】演出図柄表示装置に表示される擬似連続変動演出において、３つの演出図柄表示領域で報知図柄が擬似停止された状態を示す図である。
【図１７】演出図柄表示装置に表示される擬似連続変動演出の第１の予告表示を示す図である。
【図１８】演出図柄表示装置に表示される擬似連続変動演出の第２の予告表示を示す図である。
【図１９】演出図柄表示装置に表示される擬似連続変動演出の第２の予告表示を示す図である。
【符号の説明】
【００７２】
１０２  遊技盤面
１０４  演出図柄表示装置
１０６  特別図柄表示装置
１０８  普通図柄表示装置
１０９  遊技状態表示装置
１１１  始動入賞装置
１１１ａ  第一始動入賞口
１１１ｂ  第二始動入賞口
１１５  大入賞口
１３１  始動入賞口スイッチ
１５０  演出制御装置
１５２  図柄制御装置
１５３  ランプ
１５５  スピーカ
２００  遊技制御装置
２１０  主制御装置
２１２  電源回路
２２０  ＣＰＵ
２３０  ＲＯＭ
２４０  ＲＡＭ
２５０  入力ポート
２５５  出力ポート
４４０  変動パターン決定テーブル
５００  演出図柄
５１０  報知図柄
５１１  主図柄
５１２  副図柄
５２０  装飾図柄
【図１】
0005341364.tif 000002
【図２】
0005341364.tif 000003
【図３】
0005341364.tif 000004
【図４】
0005341364.tif 000005
【図５】
0005341364.tif 000006
【図６】
0005341364.tif 000007
【図７】
0005341364.tif 000008
【図８】
0005341364.tif 000009
【図９】
0005341364.tif 000010
【図１０】
0005341364.tif 000011
【図１１】
0005341364.tif 000012
【図１２】
0005341364.tif 000013
【図１３】
0005341364.tif 000014
【図１４】
0005341364.tif 000015
【図１５】
0005341364.tif 000016
【図１６】
0005341364.tif 000017
【図１７】
0005341364.tif 000018
【図１８】
0005341364.tif 000019
【図１９】
0005341364.tif 000020